(57)【要約】      （修正有）【課題】ハンズフリーの状態で無線本体に付した外部装置が外れ難く操作性のよい無線通信装置を提供する。【解決手段】内部に音声出力用の内部装置７を備え、ＰＴＴスイッチ６が入状態の時に音声送信状態となる無線通信装置の無線通信機の本体１に、着脱可能なアダプターを介して通話可能に接続される音声入出力用の外部装置を内部装置７とは別に備えた無線通信装置において、上記アダプターと外部装置をいずれも無線通信用のアダプター１４及び外部装置２１とし、上記無線通信用の外部装置２１と本体１との間の通信を無線通信用のアダプター１４を介したコードレスの無線通信方式とし、無線通信用のアダプター１４を本体１に対して着脱可能に締着固定する着脱具２６を設けてなるものである。【選択図】図１
0003193661.tif 000002
【実用新案登録請求の範囲】
【請求項１】
内部に音声出力用の内部装置（７）を備え、ＰＴＴスイッチ（６）が入状態の時に音声送信状態となる無線通信装置の無線通信機の本体（１）に、着脱可能なアダプター（１４），（１５）を介して通話可能に接続される音声入出力用の外部装置（２１），（２２）を前記内部装置（７）とは別に備えた無線通信装置において、上記外部装置（２１）と本体（１）との間の通信を無線通信用のアダプター（１４）を介したコードレスの無線通信方式とし、該アダプター（１４）を本体（１）に対して着脱可能に締着固定する着脱具（２６）を設けてなる無線通信装置。
【請求項２】
アダプター（１４）の取付部（１７ａ）の一端に突出させて設けた爪部（２３ａ）を本体（１）の受部（１６）側に設けた差込部（２４）に挿脱自在に挿入して上記取付部（１７ａ）の一端を係止し、取付部（１７ａ）の他方の端部を上記受部（１６）に対して着脱具（２６）により締着固定する請求項１に記載の無線通信装置。
【請求項３】
アダプター（１５）と通信用ケーブルで接続して本体（１）との間で有線通信方式とした音声入出力用の外部装置（２２）及び配線用のアダプターを、前記無線通信方式の外部装置（２１）及びアダプター（１４）とは別に設け、両アダプターの取付部（１７ａ），（１７ｂ）を本体（１）側の共通の受部（１６）に選択的に取付ける請求項２に記載の無線通信装置。
【請求項４】
締着固定時にアダプター（１４），（１５）の取付部（１７ａ），（１７ｂ）側の接点（１９ａ），（１９ｂ）と接触して回路接続される受部（１６）側の接点（１８）の配置パターンを、複数種のアダプターの異なる配置パターンの接点と適合する配置パターンとした請求項２又は３に記載の無線通信装置。
【請求項５】
無線通信方式の音声入出力用の外部装置（２１）が音声入力用のマイクロホン（２１ａ）と音声出力用のイヤホン（２１ｂ）又はスピーカーとからなり、ＰＴＴスイッチ（２１ｃ）を音声入力用のマイクロホン（２１ａ）側に一体的に取付けた子機（２８）を形成し、無線通信用のアダプター（１４）に前記マイクロホンとイヤホン又はスピーカーに対する送受信に共用されるアンテナを備えてなる請求項１〜４に記載の無線通信装置。
【請求項６】
予め決められた無線通信用アダプター（１４）と音声入出力用の外部装置（２１）との組合せ以外の両者の組合せに際して、ペアリングを行うための操作部を上記外部装置（２１）に設けてなる請求項１〜５にいずれかに記載の無線通信装置。
【考案の詳細な説明】
【技術分野】
【０００１】
この考案は主としてトランシーバーとして例えば各種大型施設や各種イベント会場等の警備、会場整理又は山林作業、工事現場等における作業者間の無線通信による音声通話に使用する無線通信装置に関する。
【背景技術】
【０００２】
従来、内部に音声出力用の内部装置を備え、ＰＴＴ（Push to Talk）スイッチが入状態の時に音声送信状態となる無線通信機の本体に、着脱可能なアダプターを介して通話可能に接続される無線による音声入出力用の外部装置を前記内部装置とは別に備えた無線通信装置として、特許文献１の図４，図５に示されるものが公知である。
【先行技術文献】
【特許文献】
【０００３】
【特許文献１】特許第５４２０７７９号公報（図４，図５）
【考案の概要】
【考案が解決しようとする課題】
【０００４】
上記無線通信装置は、トランシーバーの無線通信機の本体機能の内部装置として備えているＰＴＴスイッチ，マイクとイヤホンからなる音声入出力装置とは別に本体に対してそれぞれ外部接続するＰＴＴスイッチとマイク及びイヤホンを外部装置としても別個に備え、さらにＰＴＴスイッチ及び音声入出力装置を本体側と無線接続するための送受信機（アンテナ装置）を本体側にケーブルを介して接続している。
【０００５】
このため無線通話中に無線機本体と外部装置を作業者の身体側に取付けてハンズフリーにできる利点があるが、上記例ではアンテナ装置をケーブルとプラグを介して本体に接続するほか、音声入出力装置とＰＴＴスイッチが別体になっているため、着用者の移動中や作業中にアンテナ装置のプラグが外れてアンテナ装置の紛失や通信遮断等のトラブルが生じる。
【０００６】
また、音声入出力装置とＰＴＴスイッチが別体であるため、それぞれを各別に身体側に装着する必要があり、操作上も不便であるほか、被服への装着箇所（数）も多くなるという欠点がある。
【課題を解決するための手段】
【０００７】
上記課題を解決するための本考案の無線通信装置は、第１に内部に音声出力用の内部装置７を備え、ＰＴＴスイッチ６が入状態の時に音声送信状態となる無線通信装置の無線通信機の本体１に、着脱可能なアダプター１４，１５を介して通話可能に接続される音声入出力用の外部装置２１，２２を前記内部装置７とは別に備えた無線通信装置において、上記外部装置２１と本体１との間の通信を無線通信用のアダプター１４を介したコードレスの無線通信方式とし、該アダプター１４を本体１に対して着脱可能に締着固定する着脱具２６を設けてなることを特徴としている。
【０００８】
第２に、アダプター１４の取付部１７ａの一端に突出させて設けた爪部２３ａを本体１の受部１６側に設けた差込部２４に挿脱自在に挿入して上記取付部１７ａの一端を係止し、取付部１７ａの他方の端部を上記受部１６に対して着脱具２６により締着固定することを特徴としている。
【０００９】
第３に、アダプター１５と通信用ケーブルで接続して本体１との間で有線通信方式とした音声入出力用の外部装置２２及び配線用のアダプターを、前記無線通信方式の外部装置２１及びアダプター１４とは別に設け、両アダプターの取付部１７ａ，１７ｂを本体１側の共通の受部１６に選択的に取付けることを特徴としている。
【００１０】
第４に、締着固定時にアダプター１４，１５の取付部１７ａ，１７ｂ側の接点１９ａ，１９ｂと接触して回路接続される受部１６側の接点１８の配置パターンを、複数種のアダプターの異なる配置パターンの接点と適合する配置パターンとしたことを特徴としている。
【００１１】
第５に、無線通信方式の音声入出力用の外部装置２１が音声入力用のマイクロホン２１ａと音声出力用のイヤホン２１ｂ又はスピーカーとからなり、ＰＴＴスイッチ２１ｃを音声入力用のマイクロホン２１ａ側に一体的に取付けた子機２８を形成し、無線通信用のアダプター１４に前記マイクロホンとイヤホン又はスピーカーに対する送受信に共用されるアンテナを備えてなることを特徴としている。
【００１２】
第６に、予め決められた無線通信用アダプター１４と音声入出力用の外部装置２１との組合せ以外の両者の組合せに際して、ペアリングを行うための操作部を上記外部装置２１に設けてなることを特徴としている。
【考案の効果】
【００１３】
以上のように構成される本考案の装置は、従来の装置のように外部装置の音声入出力装置と本体間の無線送受信を中継するアダプターが、着脱具によって締着固定されているために、移動や機器操作又は他の作業等の動作中にアダプターが外れて通信遮断したり、落下や紛失する等のトラブルが防止できる。
【００１４】
また、在来の有線接続式の外部装置の通信装置に対してもアダプターを交換することにより後付け使用が可能であり、使用目的等に応じて有線式と無線式の選択使用もできる。
【００１５】
そして、本体側の受部の接続接点の配置パターンが複数種の異なる接続接点の配置パターンを持つアダプターと適合するので、無線式又は有線接続式その他仕様の異なる外部装置に対応できる利点がある。
【００１６】
さらに、外部装置のマイクロホンとＰＴＴスイッチを一体的に設け、マイクロホンとイヤホン又はスピーカーによる送受信に共用されるアンテナをアダプター側に設けたので全体としてコンパクトであり、取扱いや操作が簡単である。
【００１７】
外部装置に無線通信用のアダプターと外部装置のペアリングを行う操作部を設けたので、周波数仕様の異なる外部装置にも対応できる利点がある。
【図面の簡単な説明】
【００１８】
【図１】本考案の１実施例を示す装置の全体構成図である。
【図２】本考案装置の無線機本体と無線通信用アダプターの受部と取付部及び両者の接点の配置パターンを示す図である。
【図３】本考案装置の無線機本体と無線通信用アダプターの取付状態を示す正面図である。
【図４】本考案装置の無線通信用アダプターの全体斜視図である。
【図５】本考案装置の外部装置である無線通信用の子機である。
【考案を実施するための形態】
【００１９】
以下図示する実施例につき詳述すると、図１〜図５は本考案の無線通信装置の１実施例を示し、トランシーバーの一方の送受信端末である在来の無線機の本体１には、他の無線機本体（図示しない）と送受信するためのアンテナ２，本体１の主電源を入切しボリューム調整を行うつまみ３，予め設定された複数の他の本体端末を選択するチャンネル選択（呼出し）ボタン４，ＰＴＴ（送信）スイッチ６，スピーカー・マイクロホン部（音声入出力の内部装置）７，表示部８，全体，基地，個別の呼出しを選択する呼出し選択ボタン９，チャンネル設定（アップ・ダウン）ボタン１１，各種機能選択を行う機能ボタン１２等の表示分や操作部を備えている。また背面側にはベルトクリップ１３を装備している。
【００２０】
上記本体１の右側面（ＰＴＴスイッチ６の反対側）には後述するアダプター１４，１５を取付ける受部１６が縦長方向の長方形に形成されており、該受部１６には該アダプター１４又は同１５の取付部１７ａ，１７ｂが適合するように重ね合わされて着脱自在に取り付けられる。上記受部１６と取付部１７ａ，１７ｂの重ね合わせ面には、重ね合わせた状態で適合しあって接触し合う複数の通電用（電気接続用）の接点（端子）１８，１９ａ，１９ｂが予め決められた規則的なパターンで配置されている。
【００２１】
受部１６側の接点１８の配置パターンは、アダプター１４，１５の接点１９ａ，１９ｂの異なる配置パターンのいずれにも適合して接触する配置パターンに配置されており、該配置パターン１９ａ，１９ｂの違いは後述する音声入出力用の外部装置２１，２２の仕様（構成）の違いに基くものである。
【００２２】
図１に示すアダプター１４はマイクロホン２１ａとイヤホン２１ｂを備えた無線通信方式の音声入出力用の外部装置２１と対応して本体１と外部装置２１との間の送受信を中継するためのもので、両者の無線通信に必要な数の接点数で、しかも受部１６側の接点配置パターン中の対応すべき接点と適合して接触（接続）する配置パターンとなっている。
【００２３】
アダプター１５はマイクロホン２２ａとイヤホン２２ｂを備えた音声入出力用の外部装置２２がケーブル（コード）で接続された有線通信用のアダプターであり、上記外部装置２２の音声入出力を有線によって送受信するものである。このためアダプター１５の取付部１７ｂの接点配置パターンは、上記有線通信方式の外部装置２２の入出力信号の送受信に必要な接点数で、受部１６側の接点配置パターン中の対応すべき接点と適合しあて接触する配置パターンとなっている。
【００２４】
したがって上記受部１６側の接点配置パターンは少なくとも上記無線通信方式の外部装置２１と有線通信方式の外部装置２２とのいずれとの通信接続も可能な接点数と配置パターンを備える必要があり、これらの送受信用の接点には、次に述べるＰＴＴスイッチ２１ｃ，２２ｃ及び無線通信用外部装置２１とアダプター１４が備えているアンテナ（図示しない）間の送受信用の接点も含まれる。上記受部１６側の接点配置パターンは上記２種類の取付部１７ａ，１７ｂの接点配置パターンだけでなく、外部装置の種類に応じて上記以外の異なる配置パターンにも対応することができる。
【００２５】
また、アダプター１４，１５の取付部１７ａ，１７ｂの上端には、爪部２３ａ，２３ｂが上向きに突設されており、この爪部２３ａ，２３ｂを本体１側の受部１６の上端に形成された差込部（孔又は溝）２４に挿脱自在に差込むことにより、取付部１７ａ，１７ｂの上端側は本体１側の受部１６の重ね合わせ面に沿って係止される。
【００２６】
他方、アダプター１４，１５の取付部１７ａ，１７ｂの下端側には、先端が取付面より突出する止めビス２６が着脱具として挿通されており、これに対応する本体１側の受部１６には、上記止めビス２６の先端がねじ込まれるねじ２７が穿設されている。そして前記爪部２３ａ，２３ｂを差込部２４に挿入した状態で止めビス２６をねじ孔２７にねじ込むことによりいずれのアダプターも受部１６と取付部１７ａ，１７ｂが重ね合わされた状態で締着固定され、両者の必要な接点が接触して接続される。上記着脱具２６は、止めビスに限らず、公知のレバーによる回動着脱式のクランパーその他のものでも良い。
【００２７】
無線通信方式の外部装置２１は、アダプター１４との間で無線通信可能な子機２８を備えており、子機２８はマイクロホン２１ａ及びイヤホン（又はスピーカー）２１ｂによる音声入出力信号をアダプター１４側のアンテナとの間で送受信するアンテナや増幅機、電源（バッテリー）等（いずれも図示しない）を内臓している。その他ＰＴＴスイッチ２１ｃや電源スイッチ２１ｄ，音量ボタン２１ｅ等を備えている。この例では電源スイッチ２１ｄと音量ボタン２１ｅがマイクロホン２１ａとアダプター１４を別の組合せに変更するペアリングを行うための操作部を兼ねている。
【００２８】
イヤホン２１ｂはイヤホンプラグ３１を子機２８側のイヤホンジャック３２に差込むことによってケーブル接続される。３３，３４，３５はいずれも子機２８，マイクロホン２２ａ，ケーブルに設けられたクリップである。
【符号の説明】
【００２９】
１    本体
６    ＰＴＴスイッチ
７    スピーカー・マイクロホン部（内部装置）
１４，１５    アダプター
１６  受部
１７ａ，１７ｂ    取付部
１８，１９ａ，１９ｂ    接点
２１，２２    外部装置
２１ａ    マイクロホン
２１ｂ    イヤホン
２３ａ，２３ｂ    爪部
２４    差込部
２６    止めビス（着脱具）
２８    子機
【図１】
0003193661.tif 000003
【図２】
0003193661.tif 000004
【図３】
0003193661.tif 000005
【図４】
0003193661.tif 000006
【図５】
0003193661.tif 000007
【手続補正書】
【提出日】平成26年8月12日(2014.8.12)
【手続補正１】
【補正対象書類名】実用新案登録請求の範囲
【補正対象項目名】全文
【補正方法】変更
【補正の内容】
【実用新案登録請求の範囲】
【請求項１】
内部に音声出力用の内部装置（７）を備え、ＰＴＴスイッチ（６）が入状態の時に音声送信状態となる無線通信装置の無線通信機の本体（１）に、着脱可能なアダプターを介して通話可能に接続される音声入出力用の外部装置を前記内部装置（７）とは別に備えた無線通信装置において、上記アダプターと外部装置をいずれも無線通信用のアダプター（１４）及び外部装置（２１）とし、上記無線通信用の外部装置（２１）と本体（１）との間の通信を無線通信用のアダプター（１４）を介したコードレスの無線通信方式とし、該無線通信用のアダプター（１４）を本体（１）に対して着脱可能に締着固定する着脱具（２６）を設けてなる無線通信装置。
【請求項２】
無線通信用のアダプター（１４）の取付部（１７ａ）の一端に突出させて設けた爪部（２３ａ）を本体（１）の受部（１６）側に設けた差込部（２４）に挿脱自在に挿入して上記取付部（１７ａ）の一端を係止し、取付部（１７ａ）の他方の端部を上記受部（１６）に対して着脱具（２６）により締着固定する請求項１に記載の無線通信装置。
【請求項３】
通信用ケーブルで接続して本体（１）との間で有線通信を行う有線通信用の外部装置（２２）及び有線通信用のアダプター（１５）を、前記無線通信用の外部装置（２１）及び無線通信用のアダプター（１４）とは別に設け、両アダプターの取付部（１７ａ），（１７ｂ）を本体（１）側の共通の受部（１６）に選択的に取付ける請求項２に記載の無線通信装置。
【請求項４】
締着固定時に無線通信用のアダプター（１４）と、有線通信用のアダプター（１５）のそれぞれの取付部（１７ａ），（１７ｂ）側の各接点（１９ａ），（１９ｂ）と接触して回路接続される本体（１）の受部（１６）側の接点（１８）の配置パターンを、複数種のアダプターの異なる配置パターンの接点と適合する配置パターンとした請求項３に記載の無線通信装置。
【請求項５】
無線通信用の外部装置（２１）が音声入力用のマイクロホン（２１ａ）と音声出力用のイヤホン（２１ｂ）又はスピーカーとからなり、外部装置用ＰＴＴスイッチ（２１ｃ）を音声入力用のマイクロホン（２１ａ）側に一体的に取付けた子機（２８）を形成し、無線通信用のアダプター（１４）に前記マイクロホン（２１ａ）とイヤホン（２１ｂ）又はスピーカーに対する送受信に共用されるアンテナを備えてなる請求項１〜４に記載の無線通信装置。
【請求項６】
予め決められた無線通信用のアダプター（１４）と無線通信用の外部装置（２１）との組合せ以外の両者の組合せに際して、ペアリングを行うための操作部を上記無線通信用の外部装置（２１）に設けてなる請求項１〜５にいずれかに記載の無線通信装置。
【手続補正２】
【補正対象書類名】明細書
【補正対象項目名】全文
【補正方法】変更
【補正の内容】
【考案の詳細な説明】
【技術分野】
【０００１】
この考案は主としてトランシーバーとして例えば各種大型施設や各種イベント会場等の警備、会場整理又は山林作業、工事現場等における作業者間の無線通信による音声通話に使用する無線通信装置に関する。
【背景技術】
【０００２】
従来、内部に音声出力用の内部装置を備え、ＰＴＴ（Push to Talk）スイッチが入状態の時に音声送信状態となる無線通信機の本体に、着脱可能なアダプターを介して通話可能に接続される無線による音声入出力用の外部装置を前記内部装置とは別に備えた無線通信装置として、特許文献１の図４，図５に示されるものが公知である。
【先行技術文献】
【特許文献】
【０００３】
【特許文献１】特許第５４２０７７９号公報（図４，図５）
【考案の概要】
【考案が解決しようとする課題】
【０００４】
上記無線通信装置は、トランシーバーの無線通信機の本体機能の内部装置として備えているＰＴＴスイッチ，マイクとイヤホンからなる音声入出力装置とは別に本体に対してそれぞれ外部接続するＰＴＴスイッチとマイク及びイヤホンを外部装置としても別個に備え、さらにＰＴＴスイッチ及び音声入出力装置を本体側と無線接続するための送受信機（アンテナ装置）を本体側にケーブルを介して接続している。
【０００５】
このため無線通話中に無線機本体と外部装置を作業者の身体側に取付けてハンズフリーにできる利点があるが、上記例ではアンテナ装置をケーブルとプラグを介して本体に接続するほか、音声入出力装置とＰＴＴスイッチが別体になっているため、着用者の移動中や作業中にアンテナ装置のプラグが外れてアンテナ装置の紛失や通信遮断等のトラブルが生じる。
【０００６】
また、音声入出力装置とＰＴＴスイッチが別体であるため、それぞれを各別に身体側に装着する必要があり、操作上も不便であるほか、被服への装着箇所（数）も多くなるという欠点がある。
【課題を解決するための手段】
【０００７】
上記課題を解決するための本考案の無線通信装置は、第１に内部に音声出力用の内部装置７を備え、ＰＴＴスイッチ６が入状態の時に音声送信状態となる無線通信装置の無線通信機の本体１に、着脱可能なアダプターを介して通話可能に接続される音声入出力用の外部装置を前記内部装置７とは別に備えた無線通信装置において、上記アダプターと外部装置をいずれも無線通信用のアダプター１４及び外部装置２１とし、上記無線通信用の外部装置２１と本体１との間の通信を無線通信用のアダプター１４を介したコードレスの無線通信方式とし、該無線通信用のアダプター１４を本体１に対して着脱可能に締着固定する着脱具２６を設けてなることを特徴としている。
【０００８】
第２に、無線通信用のアダプター１４の取付部１７ａの一端に突出させて設けた爪部２３ａを本体１の受部１６側に設けた差込部２４に挿脱自在に挿入して上記取付部１７ａの一端を係止し、取付部１７ａの他方の端部を上記受部１６に対して着脱具２６により締着固定することを特徴としている。
【０００９】
第３に、通信用ケーブルで接続して本体１との間で有線通信を行う有線通信用の外部装置２２及び有線通信用のアダプター１５を、前記無線通信用の外部装置２１及び無線通信用のアダプター１４とは別に設け、両アダプターの取付部１７ａ，１７ｂを本体１側の共通の受部（１６）に選択的に取付けることを特徴としている。
【００１０】
第４に、締着固定時に無線通信用のアダプター１４と、有線通信用のアダプター１５のそれぞれの取付部１７ａ，１７ｂ側の各接点１９ａ，１９ｂと接触して回路接続される本体１の受部１６側の接点１８の配置パターンを、複数種のアダプターの異なる配置パターンの接点と適合する配置パターンとしたことを特徴としている。
【００１１】
第５に、無線通信用の外部装置２１が音声入力用のマイクロホン２１ａと音声出力用のイヤホン２１ｂ又はスピーカーとからなり、外部装置用ＰＴＴスイッチ２１ｃを音声入力用のマイクロホン２１ａ側に一体的に取付けた子機２８を形成し、無線通信用のアダプター１４に前記マイクロホン２１ａとイヤホン２１ｂ又はスピーカーに対する送受信に共用されるアンテナを備えてなることを特徴としている。
【００１２】
第６に、予め決められた無線通信用のアダプター１４と無線通信用の外部装置２１との組合せ以外の両者の組合せに際して、ペアリングを行うための操作部を上記無線通信用の外部装置２１に設けてなることを特徴としている。
【考案の効果】
【００１３】
以上のように構成される本考案の装置は、従来の装置のように外部装置の音声入出力装置と本体間の無線送受信を中継するアダプターが、着脱具によって締着固定されているために、移動や機器操作又は他の作業等の動作中にアダプターが外れて通信遮断したり、落下や紛失する等のトラブルが防止できる。
【００１４】
また、在来の有線接続式の外部装置の通信装置に対してもアダプターを交換することにより後付け使用が可能であり、使用目的等に応じて有線式と無線式の選択使用もできる。
【００１５】
そして、本体側の受部の接続接点の配置パターンが複数種の異なる接続接点の配置パターンを持つアダプターと適合するので、無線式又は有線接続式その他仕様の異なる外部装置に対応できる利点がある。
【００１６】
さらに、外部装置のマイクロホンとＰＴＴスイッチを一体的に設け、マイクロホンとイヤホン又はスピーカーによる送受信に共用されるアンテナをアダプター側に設けたので全体としてコンパクトであり、取扱いや操作が簡単である。
【００１７】
外部装置に無線通信用のアダプターと外部装置のペアリングを行う操作部を設けたので、周波数仕様の異なる外部装置にも対応できる利点がある。
【図面の簡単な説明】
【００１８】
【図１】本考案の１実施例を示す装置の全体構成図である。
【図２】本考案装置の無線機本体と無線通信用アダプターの受部と取付部及び両者の接点の配置パターンを示す図である。
【図３】本考案装置の無線機本体と無線通信用アダプターの取付状態を示す正面図である。
【図４】本考案装置の無線通信用アダプターの全体斜視図である。
【図５】本考案装置の外部装置である無線通信用の子機である。
【考案を実施するための形態】
【００１９】
以下図示する実施例につき詳述すると、図１〜図５は本考案の無線通信装置の１実施例を示し、トランシーバーの一方の送受信端末である在来の無線機の本体１には、他の無線機本体（図示しない）と送受信するためのアンテナ２，本体１の主電源を入切しボリューム調整を行うつまみ３，予め設定された複数の他の本体端末を選択するチャンネル選択（呼出し）ボタン４，ＰＴＴ（送信）スイッチ６，スピーカー・マイクロホン部（音声入出力の内部装置）７，表示部８，全体，基地，個別の呼出しを選択する呼出し選択ボタン９，チャンネル設定（アップ・ダウン）ボタン１１，各種機能選択を行う機能ボタン１２等の表示分や操作部を備えている。また背面側にはベルトクリップ１３を装備している。
【００２０】
上記本体１の右側面（ＰＴＴスイッチ６の反対側）には後述するアダプター１４，１５を取付ける受部１６が縦長方向の長方形に形成されており、該受部１６には該アダプター１４又は同１５の取付部１７ａ，１７ｂが適合するように重ね合わされて着脱自在に取り付けられる。上記受部１６と取付部１７ａ，１７ｂの重ね合わせ面には、重ね合わせた状態で適合しあって接触し合う複数の通電用（電気接続用）の接点（端子）１８，１９ａ，１９ｂが予め決められた規則的なパターンで配置されている。
【００２１】
受部１６側の接点１８の配置パターンは、アダプター１４，１５の接点１９ａ，１９ｂの異なる配置パターンのいずれにも適合して接触する配置パターンに配置されており、該配置パターン１９ａ，１９ｂの違いは後述する音声入出力用の外部装置２１，２２の仕様（構成）の違いに基くものである。
【００２２】
図１に示すアダプター１４はマイクロホン２１ａとイヤホン２１ｂを備えた無線通信方式の音声入出力用の外部装置２１と対応して本体１と外部装置２１との間の送受信を中継するためのもので、両者の無線通信に必要な数の接点数で、しかも受部１６側の接点配置パターン中の対応すべき接点と適合して接触（接続）する配置パターンとなっている。
【００２３】
アダプター１５はマイクロホン２２ａとイヤホン２２ｂを備えた音声入出力用の外部装置２２がケーブル（コード）で接続された有線通信用のアダプターであり、上記外部装置２２の音声入出力を有線によって送受信するものである。このためアダプター１５の取付部１７ｂの接点配置パターンは、上記有線通信方式の外部装置２２の入出力信号の送受信に必要な接点数で、受部１６側の接点配置パターン中の対応すべき接点と適合しあて接触する配置パターンとなっている。
【００２４】
したがって上記受部１６側の接点配置パターンは少なくとも上記無線通信方式の外部装置２１と有線通信方式の外部装置２２とのいずれとの通信接続も可能な接点数と配置パターンを備える必要があり、これらの送受信用の接点には、次に述べるＰＴＴスイッチ２１ｃ，２２ｃ及び無線通信用外部装置２１とアダプター１４が備えているアンテナ（図示しない）間の送受信用の接点も含まれる。上記受部１６側の接点配置パターンは上記２種類の取付部１７ａ，１７ｂの接点配置パターンだけでなく、外部装置の種類に応じて上記以外の異なる配置パターンにも対応することができる。
【００２５】
また、アダプター１４，１５の取付部１７ａ，１７ｂの上端には、爪部２３ａ，２３ｂが上向きに突設されており、この爪部２３ａ，２３ｂを本体１側の受部１６の上端に形成された差込部（孔又は溝）２４に挿脱自在に差込むことにより、取付部１７ａ，１７ｂの上端側は本体１側の受部１６の重ね合わせ面に沿って係止される。
【００２６】
他方、アダプター１４，１５の取付部１７ａ，１７ｂの下端側には、先端が取付面より突出する止めビス２６が着脱具として挿通されており、これに対応する本体１側の受部１６には、上記止めビス２６の先端がねじ込まれるねじ２７が穿設されている。そして前記爪部２３ａ，２３ｂを差込部２４に挿入した状態で止めビス２６をねじ孔２７にねじ込むことによりいずれのアダプターも受部１６と取付部１７ａ，１７ｂが重ね合わされた状態で締着固定され、両者の必要な接点が接触して接続される。上記着脱具２６は、止めビスに限らず、公知のレバーによる回動着脱式のクランパーその他のものでも良い。
【００２７】
無線通信方式の外部装置２１は、アダプター１４との間で無線通信可能な子機２８を備えており、子機２８はマイクロホン２１ａ及びイヤホン（又はスピーカー）２１ｂによる音声入出力信号をアダプター１４側のアンテナとの間で送受信するアンテナや増幅機、電源（バッテリー）等（いずれも図示しない）を内臓している。その他ＰＴＴスイッチ２１ｃや電源スイッチ２１ｄ，音量ボタン２１ｅ等を備えている。この例では電源スイッチ２１ｄと音量ボタン２１ｅがマイクロホン２１ａとアダプター１４を別の組合せに変更するペアリングを行うための操作部を兼ねている。
【００２８】
イヤホン２１ｂはイヤホンプラグ３１を子機２８側のイヤホンジャック３２に差込むことによってケーブル接続される。３３，３４，３５はいずれも子機２８，マイクロホン２２ａ，ケーブルに設けられたクリップである。
【符号の説明】
【００２９】
１    本体
６    ＰＴＴスイッチ
７    スピーカー・マイクロホン部（内部装置）
１４  無線通信用のアダプター
１５  有線通信用のアダプター
１６  受部
１７ａ，１７ｂ    取付部
１８，１９ａ，１９ｂ    接点
２１  無線通信用の外部装置
２２  有線通信用の外部装置
２１ａ    マイクロホン
２１ｂ    イヤホン
２３ａ，２３ｂ    爪部
２４    差込部
２６    止めビス（着脱具）
２８    子機